(57)【要約】【課題】服用している医薬品より安い医薬品に関する有益な情報を患者に提供することにより、患者ができるだけ安い医薬品を利用できるようにする。【解決手段】サーバ装置１００Ａが、複数の薬局および当該薬局が調剤に使用する医薬品に関する情報を記憶する薬局情報記憶部１０１Ａと、患者が服用している医薬品に関する情報を記憶する患者情報記憶部１０２と、それらの情報を参照して、患者が服用している医薬品よりも安い医薬品およびそれを使用する薬局に関する情報を生成する低額医薬品情報生成部１４Ａと、当該生成した低額医薬品情報を患者端末に提供する低額医薬品情報提供部１５Ａとを備え、患者が服用している医薬品よりも安い医薬品と薬局とを含む有益な情報を患者端末に提供することにより、患者がその情報を参考にして購入先の薬局を変えることにより、できるだけ安い医薬品を利用することができるようにする。【選択図】図２
2020113001.tif 000002
【特許請求の範囲】
【請求項１】
患者が使用する患者端末と、当該患者端末に通信ネットワークを介して接続されるサーバ装置とを備え、
上記サーバ装置は、
複数の薬局に関する情報および当該複数の薬局がそれぞれ調剤に使用する医薬品に関する情報を薬局ごとに記憶する薬局情報記憶部と、
上記患者に関する情報および当該患者が服用している医薬品に関する情報を患者ごとに記憶する患者情報記憶部と、
上記薬局情報記憶部に記憶されている情報と上記患者情報記憶部に記憶されている情報とを参照し、上記患者が服用している医薬品の価格よりも安い医薬品およびそれを使用する薬局に関する情報を生成する低額医薬品情報生成部と、
上記低額医薬品情報生成部により生成された情報を上記患者端末に提供する低額医薬品情報提供部とを備えたことを特徴とする医薬品情報提供システム。
【請求項２】
上記サーバ装置は、上記複数の薬局による医薬品の購買を管理する購買管理サーバであり、
上記薬局情報記憶部は、上記複数の薬局がそれぞれ購買した医薬品に関する情報を、上記複数の薬局がそれぞれ調剤に使用する医薬品に関する情報として記憶し、
上記低額医薬品情報生成部は、上記薬局情報記憶部に上記購買に関する情報が記憶されたタイミングまたは所定の定期的なタイミングで、上記患者が服用している医薬品の価格よりも安い医薬品およびそれを使用する薬局に関する情報を生成することを特徴とする請求項１に記載の医薬品情報提供システム。
【請求項３】
上記サーバ装置は、上記複数の薬局が処方に基づき実際に調剤した医薬品に関する調剤情報を収集して管理する調剤情報管理サーバであり、
上記薬局情報記憶部は、上記複数の薬局から収集した上記調剤情報を、上記複数の薬局がそれぞれ調剤に使用する医薬品に関する情報として記憶し、
上記低額医薬品情報生成部は、上記薬局情報記憶部に上記調剤情報が記憶されたタイミングまたは所定の定期的なタイミングで、上記患者が服用している医薬品の価格よりも安い医薬品およびそれを使用する薬局に関する情報を生成することを特徴とする請求項１に記載の医薬品情報提供システム。
【請求項４】
上記複数の薬局が使用する薬局端末を更に備え、当該薬局端末は、上記サーバ装置に対して上記通信ネットワークを介して接続され、
上記サーバ装置は、上記患者端末からのリクエストと、当該リクエストに対する上記薬局端末からの応答とを仲介する仲介管理サーバであり、
上記薬局情報記憶部は、上記リクエストに対する応答として上記薬局端末から送信される、上記薬局に関する情報および当該薬局が調剤に使用する医薬品に関する情報を薬局ごとに記憶し、
上記低額医薬品情報生成部は、上記リクエストに対する応答が行われる所定のタイミングで、上記薬局情報記憶部に記憶された情報に基づいて、上記患者が服用している医薬品の価格よりも安い医薬品
およびそれを使用する薬局に関する情報を生成することを特徴とする請求項１に記載の医薬品情報提供システム。
【請求項５】
上記薬局端末は、
医薬品の購買を管理する購買管理サーバに通信ネットワークを介して接続可能に構成され、
上記サーバ装置から提供される上記リクエストに応じて、当該リクエストを行った患者が服用している医薬品の価格よりも安い医薬品を上記購買管理サーバを通じて購入処理した上で、上記リクエストに対する応答を行うことが可能に構成されていることを特徴とする請求項４に記載の医薬品情報提供システム。
【請求項６】
上記購買管理サーバは、一の薬局が在庫の医薬品を出品して他の薬局が当該出品された医薬品を購入する薬局間購買処理を管理するサーバであることを特徴とする請求項５に記載の医薬品情報提供システム。
【請求項７】
上記患者端末は、調剤を受ける際の希望条件が付されたリクエストを上記サーバ装置に送信可能に構成され、
上記低額医薬品情報生成部は、上記リクエストに付されている希望条件を満たす薬局から応答が行われる所定のタイミングで、患者が服用している医薬品の価格よりも安い医薬品およびそれを使用する薬局に関する情報を生成することを特徴とする請求項４〜６の何れか１項に記載の医薬品情報提供システム。
【請求項８】
上記患者情報記憶部は、上記患者に関する情報として患者の自宅の住所情報を記憶し、
上記薬局情報記憶部は、上記複数の薬局に関する情報として薬局の住所情報を記憶し、
上記低額医薬品情報生成部は、上記薬局情報記憶部に記憶されている情報と上記患者情報記憶部に記憶されている情報とを参照し、上記複数の薬局のうち上記患者の自宅から所定距離以内にある薬局を対象として、上記患者が服用している医薬品の価格よりも安い医薬品およびそれを使用する薬局に関する情報を生成することを特徴とする請求項２または３に記載の医薬品情報提供システム。
【請求項９】
上記患者情報記憶部は、上記患者に関する情報として患者の自宅の住所情報を記憶し、
上記薬局情報記憶部は、上記複数の薬局に関する情報として薬局の住所情報を記憶し、
上記サーバ装置は、上記複数の薬局のうち上記患者の自宅から所定距離以内にある薬局の薬局端末に対してのみ上記リクエストを提供するリクエスト提供部を備えたことを特徴とする請求項４に記載の医薬品情報提供システム。
【請求項１０】
上記患者情報記憶部は、上記患者が服用している医薬品に関する情報を服薬履歴情報として記憶し、
上記低額医薬品情報生成部は、上記患者情報記憶部に記憶されている情報に基づいて、所定頻度以上の頻度で服薬している患者を対象として、上記患者が服用している医薬品の価格よりも安い医薬品およびそれを使用する薬局に関する情報を生成することを特徴とする請求項１〜９の何れか１項に記載の医薬品情報提供システム。
【発明の詳細な説明】
【技術分野】
【０００１】
本発明は、医薬品情報提供システムに関し、特に、服用している医薬品より安い医薬品に関して患者にとって有益な情報を提供するシステムに用いて好適なものである。
【背景技術】
【０００２】
先発医薬品に関する特許権が消滅すると、当該特許権に係る発明を利用した後発医薬品（ジェネリック医薬品ともいう）の製造及び販売等が可能となる。後発医薬品とは、先発医薬品の特許が切れた後に製造され、先発医薬品と同じ成分、同じ薬効を有する医薬品であって、先発医薬品より格段に低い薬価が付けられたものをいう。一般的に、医療費の抑制の面から、先発医薬品より安価な後発医薬品の普及が望まれている。
【０００３】
従来、この後発医薬品に関して有用な情報を提供するシステムがいくつか知られている（例えば、特許文献１〜３参照）。特許文献１に記載の医薬品情報提供装置は、医師等による後発医薬品に対する不信感を取り除くために有益な情報を提供するものであり、医薬品情報および先発医薬品と後発医薬品との関連情報を参照し、先発医薬品の医薬品情報と後発医薬品の医薬品情報との一致率を算出する。そして、先発医薬品の指定を受け付けた場合、上記関連情報を参照して、指定された先発医薬品と関連する後発医薬品を特定し、特定された後発医薬品についての一致率を出力する。
【０００４】
特許文献２に記載の後発医薬品情報提供システムも、医師等による後発医薬品に対する不信感を取り除くために有益な情報を提供するものであり、医薬品情報を提供するセンターのサーバ装置は、特定の医薬品について医療機関の端末装置から問い合わせを受けると、それに応じてその医薬品の後発医薬品を医薬品データベースから検索し、検索した医薬品それぞれの少なくとも使用頻度、先発後発の区別、薬価、および品名の情報を表示するための実績表データを作成して端末装置に送信する。端末装置は、処方データに含まれる特定の医薬品に係る後発医薬品の情報をサーバ装置に問い合わせ、サーバ装置から送信された実績表データを受信して表示装置に出力する。
【０００５】
特許文献３に記載の薬品決定支援システムは、新たに開発された後発医薬品に関する情報を医師等に提供することによって、できるだけ医療費が安くなるような医薬品を効率的に処方できるようにすることを目的としたものであり、先発医薬品および後発医薬品の各々について薬価、薬理作用などを薬品データベースにあらかじめ記録しておき、医師により入力された先発医薬品に対応する後発医薬品を自動的に検索し、ディスプレイに表示する。
【先行技術文献】
【特許文献】
【０００６】
【特許文献１】特開２０１１−１９７９４４号公報
【特許文献２】特開２００６−２７７４５３号公報
【特許文献３】特開２００４−１２６８９４号公報
【発明の概要】
【発明が解決しようとする課題】
【０００７】
上記特許文献１〜３に記載のシステムによれば、先発医薬品に対応する後発医薬品に関する情報を検索によって効率的に得ることができる。しかしながら、これらのシステムは何れも、後発医薬品に関する情報を医師等に提供するものであり、処方を受ける患者に提供するものではない。患者は、医薬品の処方を受ける際に、それが先発医薬品または後発医薬品の何れであるかの説明を医療機関（病院や薬局等）から受けるため、後発医薬品が処方されていることを説明により確認できた場合は、「後発医薬品なので安い」という納得感を得ることができる。
【０００８】
しかしながら、先発医薬品と同じ成分および同じ薬効を有する医薬品であっても複数の銘柄が存在し、銘柄によって価格が異なることがある。そのため、医療機関から処方された医薬品が最も安い医薬品であるとは限らない。また、最も安い医薬品かどうかを患者が知ることもできない。その結果、できるだけ安い医薬品を利用したいという要望を持った患者が多くいるにもかかわらず、それが実現できていないというのが現状である。
【０００９】
本発明は、このような実情に鑑みて成されたものであり、医薬品に関する有益な情報を患者に提供することにより、患者ができるだけ安い医薬品を利用できるようにすることを目的とする。
【課題を解決するための手段】
【００１０】
上記した課題を解決するために、本発明では、サーバ装置が、複数の薬局に関する情報および当該複数の薬局がそれぞれ調剤に使用する医薬品に関する情報を薬局ごとに記憶するとともに、患者に関する情報および当該患者が服用している医薬品に関する情報を患者ごとに記憶し、それらの情報を参照して、患者が服用している医薬品の価格よりも安い医薬品（先発医薬品を含む場合もあるが主に後発医薬品、以後同じ）およびそれを使用する薬局に関する情報を生成し、当該生成した低額医薬品情報を患者端末に提供するようにしている。
【発明の効果】
【００１１】
上記のように構成した本発明によれば、患者は、自身が服用している医薬品の価格よりも安い医薬品と、その医薬品を調剤に使用している薬局とを含む有益な情報を得ることができる。これにより、その情報を参考にして購入先の薬局を変えることにより、できるだけ安い医薬品を利用することができるようになる。このように、本発明によれば、医薬品に関する有益な情報を患者に提供することにより、患者ができるだけ安い医薬品を利用できるようにすることができる。
【図面の簡単な説明】
【００１２】
【図１】第１の実施形態による医薬品情報提供システムの全体構成例を示す図である。
【図２】第１の実施形態によるサーバ装置の機能構成例を示すブロック図である。
【図３】第１の実施形態による薬局情報記憶部が記憶する薬局情報の一例を模式的に示す図である。
【図４】患者情報記憶部が記憶する患者情報の一例を模式的に示す図である。
【図５】医薬品マスター記憶部に記憶されている医薬品マスター情報の一例を模式的に示す図である。
【図６】最安値マスター記憶部に記憶される最安値マスター情報の一例を模式的に示す図である。
【図７】第１の実施形態によるサーバ装置の動作例を示すフローチャートである。
【図８】第２の実施形態によるサーバ装置の機能構成例を示すブロック図である。
【図９】第２の実施形態による薬局情報記憶部が記憶する薬局情報の一例を模式的に示す図である。
【図１０】第３の実施形態による医薬品情報提供システムの全体構成例を示す図である。
【図１１】第３の実施形態によるサーバ装置の機能構成例を示すブロック図である。
【図１２】第３の実施形態による薬局情報記憶部が記憶する薬局情報の一例を模式的に示す図である。
【図１３】第３の実施形態によるサーバ装置の機能構成例を示すブロック図である。
【発明を実施するための形態】
【００１３】
（第１の実施形態）
以下、本発明の一実施形態を図面に基づいて説明する。図１は、第１の実施形態による医薬品情報提供システムの全体構成例を示す図である。図１に示すように、第１の実施形態による医薬品情報提供システムは、複数の患者が使用する患者端末２００と、複数の薬局が使用する薬局端末３００と、当該患者端末２００および薬局端末３００に通信ネットワーク５００を介して接続されるサーバ装置１００Ａとを備えて構成される。
【００１４】
患者端末２００は、医療機関（薬局）で薬が調剤された患者が使用する端末であり、例えばパーソナルコンピュータまたはスマートフォンにより構成される。患者端末２００には、患者自身による医薬品の情報を管理するためのアプリケーション（Ｗｅｂサービスやスマートフォン・タブレットアプリを含む。 以下、お薬手帳アプリという）を使い、患者の氏名や住所、患者ＩＤなどの患者情報がお薬手帳アプリを通じてサーバ装置１００Ａに登録されている。患者のお薬情報は、サーバ装置１００Ａにおいて管理され、必要な情報がお薬手帳アプリを通じて患者端末２００に提供される。なお、お薬情報は、処方された医薬品の調剤を行った薬局において薬局端末３００から入力する調剤情報や、患者自身が患者端末２００のお薬手帳アプリから入力する調剤情報に基づいてサーバ装置１００Ａにおいて生成される。
【００１５】
薬局端末３００は、薬局のスタッフ（薬剤師または事務担当者）が使用する端末であり、例えばパーソナルコンピュータにより構成される。薬局端末３００には、薬局による医薬品の調剤履歴を管理するためのシステム（調剤レセプトコンピュータや電子薬歴システム、関連するＷｅｂサービスも含む 以下、調剤システムという）が利用されており、薬局の店名や住所、薬局ＩＤなどの薬局情報が調剤システムを通じてサーバ装置１００Ａに登録されている。薬局で行われた調剤に関する情報は、薬局端末３００からサーバ装置１００Ａに送信されて管理され、必要な情報が調剤システムを通じて薬局端末３００に提供される。
【００１６】
サーバ装置１００Ａは、上述のように、患者情報（患者の氏名、住所、患者ＩＤ、お薬情報など）および薬局情報（薬局の店名、住所、薬局ＩＤ、調剤情報など）を記録して管理し、患者端末２００または薬局端末３００からの要求に応じて、必要な情報を患者端末２００または薬局端末３００に提供する。また、サーバ装置１００Ａは、患者情報および薬局情報に基づいて、患者がいつも服用している医薬品と同じ成分および同じ薬効の医薬品（以下、これらの医薬品を「同種の医薬品」という）であって、服用中の医薬品の価格よりも安い医薬品の情報を患者端末２００に提供する処理を行う。この処理の詳細については、図２以降を用いて説明する。
【００１７】
図２は、第１の実施形態によるサーバ装置１００Ａの機能構成例を示すブロック図である。図２に示すように、第１の実施形態によるサーバ装置１００Ａは、その機能構成として、調剤情報取得部１１、薬歴記録部１２、購買情報取得部１３、低額医薬品情報生成部１４Ａおよび低額医薬品情報提供部１５Ａを備えている。また、サーバ装置１００Ａは、記憶媒体として、薬局情報記憶部１０１Ａ、患者情報記憶部１０２、医薬品マスター記憶部１０３および最安値マスター記憶部１０４を備えている。
【００１８】
上記各機能ブロック１１〜１３，１４Ａ，１５Ａは、ハードウェア、ＤＳＰ（Digital Signal Processor）、ソフトウェアの何れによっても構成することが可能である。例えばソフトウェアによって構成する場合、上記各機能ブロック１１〜１３，１４Ａ，１５Ａは、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１９】
調剤情報取得部１１は、複数の薬局端末３００のそれぞれから調剤情報を取得する。調剤情報は、調剤を受けた患者の患者ＩＤ、調剤を行った薬局の薬局ＩＤ、および医師から提供された処方箋に基づいて調剤された医薬品に関する調剤薬情報を含む。調剤薬情報は、医薬品名（銘柄を含む）、用量、処方日数、調剤日などを含む情報である。医薬品の薬価は、同じ成分および同じ薬効を有する同種の医薬品であっても、先発医薬品か後発医薬品かによって異なる。また、後発医薬品にも種々の銘柄があり、銘柄によって価格が異なる。
【００２０】
薬局のスタッフが調剤情報をサーバ装置１００Ａに送信する際には、薬局端末３００の調剤システムから別途インストールされたアップロード用プログラムや設置された転送用機器などを使って、調剤した医薬品に関する情報が送信される。これにより、調剤情報取得部１１は、薬局端末３００からの送信された情報に含まれる薬局ＩＤと、患者を特定する患者ＩＤと、スタッフにより入力された調剤薬情報とを調剤情報として取得する。
【００２１】
調剤情報取得部１１は、取得した調剤情報を薬局情報記憶部１０１Ａに記憶させる。薬局情報記憶部１０１Ａは、複数の薬局に関する情報および当該複数の薬局がそれぞれ調剤に使用する医薬品に関する情報を薬局ごとに記憶するものである。図３は、薬局情報記憶部１０１Ａが記憶する薬局情報の一例を模式的に示す図である。図３に示すように、薬局情報記憶部１０１Ａは、薬局の薬局ＩＤ、店名、住所を含む「薬局に関する情報」に関連付けて、患者ＩＤおよび調剤薬情報の履歴を記憶している。この調剤薬情報が「複数の薬局がそれぞれ調剤に使用する医薬品に関する情報」に相当する。
【００２２】
薬歴記録部１２は、調剤情報取得部１１により複数の薬局端末３００から取得された調剤情報に基づいて、患者ごとのお薬情報を生成して患者情報記憶部１０２に記憶させる。患者情報記憶部１０２は、患者に関する情報および当該患者が服用している医薬品に関する情報を記憶するものである。図４は、患者情報記憶部１０２が記憶する患者情報の一例を模式的に示す図である。図４に示すように、患者情報記憶部１０２は、患者の患者ＩＤ、氏名、住所を含む「患者に関する情報」に関連付けてお薬情報を患者ごとに記憶している。お薬情報は、調剤を受けた薬局の薬局ＩＤおよび調剤薬情報を含む。この調剤薬情報が「患者が服用している医薬品に関する情報」に相当する。
【００２３】
購買情報取得部１３は、複数の薬局がそれぞれ購買した医薬品に関する情報を取得する。例えば、本実施形態のサーバ装置１００Ａは、複数の薬局による医薬品の購買を管理する購買管理サーバの機能も有しており、薬局端末３００はサーバ装置１００Ａを通じて医薬品の発注を行うことができるように構成されている。購買情報取得部１３は、薬局端末３００から送信される医薬品の発注に係る購買情報を取得し、これを薬局情報記憶部１０１Ａに記憶させる。
【００２４】
図３に示すように、薬局情報記憶部１０１Ａは、複数の薬局がそれぞれ購買した医薬品に関する情報を薬局ごとに記憶する。すなわち、薬局情報記憶部１０１Ａは、上述した薬局に関する情報に関連付けて医薬品の購買情報も記憶する。薬局が購買した医薬品は、調剤に使用する医薬品である。したがって、この購買情報で示される医薬品は、「複数の薬局がそれぞれ調剤に使用する医薬品に関する情報」に相当する。
【００２５】
なお、図３および図４は、薬局情報記憶部１０１Ａおよび患者情報記憶部１０２に記録される情報を分かりやすく説明するために示したものであり、実際の記録形式がこの図３および図４の通りであるとは限らない。例えば、図３では、調剤情報と購買情報とを同じデータベースに記憶するものとして示しているが、別のデータベースに記憶するようにしてもよい。また、別のサーバ装置に分けて記憶および管理するようにしてもよい。
【００２６】
低額医薬品情報生成部１４Ａは、薬局情報記憶部１０１Ａに記憶されている情報と患者情報記憶部１０２に記憶されている情報とを参照し、患者が服用している医薬品と同種の医薬品であって、服用中の医薬品の価格よりも安い医薬品およびそれを使用する薬局に関する情報（以下、低額医薬品情報という）を生成する。本実施形態において、低額医薬品情報生成部１４Ａは、薬局情報記憶部１０１Ａに購買情報が記憶されたタイミングまたは所定の定期的なタイミングで低額医薬品情報を生成する。
【００２７】
低額医薬品情報生成部１４Ａがこの低額医薬品情報の生成処理を行う際に、医薬品マスター記憶部１０３に記憶されている医薬品マスター情報と、最安値マスター記憶部１０４に記憶されている最安値マスター情報とを利用する。図５は、医薬品マスター記憶部１０３に記憶されている医薬品マスター情報の一例を模式的に示す図である。図５に示すように、医薬品マスター情報は、薬品名および銘柄ごとに薬価を記録した情報である。医薬品の価格は、先発医薬品よりも後発医薬品の方が安く、同じ成分および同じ薬効を有する後発医薬品であっても銘柄によって価格が異なる。医薬品マスター情報は、これらの銘柄ごとの薬価を記録したものである。なお、後発医薬品は、先発医薬品の製薬会社とは異なる製薬会社から提供されているジェネリック医薬品の他に、先発医薬品と同じ製薬会社から提供されているオーソライズドジェネリック医薬品を含んでもよい。
【００２８】
最安値マスター記憶部１０４は、薬局が調剤に使用する医薬品の最安値を薬局別に記録した最安値マスター情報を記憶する。図６は、最安値マスター記憶部１０４に記憶される最安値マスター情報の一例を模式的に示す図である。図６に示すように、最安値マスター情報は、薬局ごとに、一の薬局が調剤に使用する複数の医薬品の薬品名と、その医薬品について使用している一以上の銘柄のうち最も価格の安い銘柄およびその価格とを記憶した情報である。
【００２９】
低額医薬品情報生成部１４Ａは、医薬品マスター記憶部１０３を参照して、購買情報で示されている医薬品（何れかの薬局が発注した医薬品）の薬価を確認する。さらに、低額医薬品情報生成部１４Ａは、医薬品マスター情報により確認した医薬品の薬価が、その医薬品を購買した薬局に関して最安値マスター記憶部１０４に記憶されている同種の医薬品の最安値より安いかどうかを判定し、安い場合には、当該購買した薬局に関する情報を用いて最安値マスター記憶部１０４の最安値マスター情報を更新する。
【００３０】
低額医薬品情報生成部１４Ａは、最安値マスター情報を更新した場合、患者情報記憶部１０２を参照して、その更新した医薬品と同種の医薬品（更新した銘柄そのものとは限らず、その銘柄と同じ成分および同じ薬効を有する医薬品）を服用している患者を抽出する。一方、低額医薬品情報生成部１４Ａは、最安値マスター情報を更新しなかった場合、上述のような患者の抽出処理は行わない。１人以上の患者が抽出された場合、低額医薬品情報生成部１４Ａは、当該患者が服用している医薬品の価格よりも安い医薬品（購買された後発医薬品など）およびそれを使用する薬局（購買を行った薬局）を示す低額医薬品情報を生成する。低額医薬品情報は、患者が現在服用している医薬品の価格と、それよりも安い医薬品との差額に関する情報を含んでもよい。
【００３１】
低額医薬品情報提供部１５Ａは、低額医薬品情報生成部１４Ａにより生成された低額医薬品情報を患者端末２００に提供する。ここで低額医薬品情報を提供する患者端末２００は、低額医薬品情報生成部１４Ａにより抽出された患者の患者端末２００である。患者端末２００への情報提供は、例えば、お薬手帳アプリに対するプッシュ通知により行う。または、事前にサーバ装置１００Ａに登録されたメールアドレスに対する電子メールにより情報提供を行うようにしてもよい。または、患者端末２００からアクセス可能な患者ごとのウェブサイトであるマイページに対して情報提供を行うようにしてもよい。
【００３２】
低額医薬品情報提供部１５Ａは、例えば、「服用されているｘｘｘよりお安い医薬品が○○薬局でご利用できるようになりました。１４日分で△△円の差額となります。次回、ご指定ください。」といったメッセージによって低額医薬品情報を患者端末２００に提供する。このような低額医薬品情報の提供を受けた患者は、希望する場合には次回以降、処方箋を持参し提示された薬局で提示された医薬品を指定して調剤を受けることが可能となる。
【００３３】
ここで、低額医薬品情報生成部１４Ａは、薬局情報記憶部１０１Ａに記憶されている薬局情報と患者情報記憶部１０２に記憶されている患者情報とを参照し、複数の薬局のうち患者の自宅から所定距離以内にある薬局を対象として低額医薬品情報を生成するのが好ましい。すなわち、低額医薬品情報生成部１４Ａが最安値マスター情報を更新した場合に、その更新した医薬品と同種の医薬品を服用している患者を抽出する際に、更新に係る医薬品を購買した薬局から自宅までの距離が所定距離以内にある患者のみを抽出するのが好ましい。現在服用している医薬品よりも安い医薬品を利用できる薬局が自宅から遠く離れた場所にある場合は、医薬品がいくら安くても、わざわざ遠くの薬局まで出向いて調剤を受けることは患者にとって不便であると考えられるからである。
【００３４】
また、低額医薬品情報生成部１４Ａは、患者情報記憶部１０２に記憶されているお薬情報に基づいて、所定頻度以上の頻度で服薬している患者を対象として低額医薬品情報を生成するようにしてもよい。すなわち、低額医薬品情報生成部１４Ａが最安値マスター情報を更新した場合に、その更新した医薬品と同種の医薬品を服用している患者を抽出する際に、所定頻度以上の頻度で服薬している患者のみを抽出するようにしてもよい。慢性的に服薬している医薬品をより安い医薬品に切り替えることにより、薬代の節約効果が高くなるからである。
【００３５】
図７は、上記のように構成した第１の実施形態によるサーバ装置１００Ａの動作例を示すフローチャートである。ここでは、一の薬局端末３００において医薬品を発注したことをトリガとして低額医薬品情報を患者端末２００に提供する動作例を示している。なお、所定の定期的なタイミングごとに、薬局情報記憶部１０１Ａに記憶された１以上の購買情報をまとめてバッチ的に以下に示す処理を行うようにしてもよい。
【００３６】
購買情報取得部１３が一の薬局端末３００から購買情報を取得して薬局情報記憶部１０１Ａに記憶させると（ステップＳ１）、低額医薬品情報生成部１４Ａは、医薬品マスター記憶部１０３を参照して、購買情報で示されている医薬品の薬価を確認する（ステップＳ２）。さらに、低額医薬品情報生成部１４Ａは、医薬品マスター情報により確認した医薬品の薬価が、その医薬品を購買した薬局に関して最安値マスター記憶部１０４に記憶されている同種の医薬品の最安値より安いかどうかを判定する（ステップＳ３）。
【００３７】
ここで、購買された医薬品の薬価が、その医薬品を購買した薬局に関して最安値マスター記憶部１０４に記憶されている同種の医薬品の最安値より安くないと判定された場合は、図７に示すフローチャートの処理を終了する。一方、購買された医薬品の薬価が、その医薬品を購買した薬局に関して最安値マスター記憶部１０４に記憶されている同種の医薬品の最安値より安いと判定された場合、低額医薬品情報生成部１４Ａは、その購買された医薬品の情報を用いて最安値マスター情報を更新する（ステップＳ４）。
【００３８】
次いで、低額医薬品情報生成部１４Ａは、患者情報記憶部１０２を参照して、最安値マスター情報の更新に利用した医薬品と同種の医薬品を服用している患者を抽出する（ステップＳ５）。ここで、低額医薬品情報生成部１４Ａは、更新に係る医薬品を購買した薬局から自宅までの距離が所定距離以内にある患者で、かつ、当該更新に係る医薬品と同種の医薬品を所定頻度以上の頻度で慢性的に服薬している患者を抽出する。
【００３９】
低額医薬品情報生成部１４Ａは、該当の患者が１人以上抽出されたか否かを判定する（ステップＳ６）。該当の患者が１人も抽出されなかった場合は、図７に示すフローチャートの処理を終了する。一方、該当の患者が１人以上抽出された場合、低額医薬品情報生成部１４Ａは、当該抽出された患者が服用している医薬品の価格よりも安い医薬品（購買された医薬品）およびそれを使用する薬局（購買を行った薬局）を示す低額医薬品情報を生成する（ステップＳ７）。
【００４０】
そして、低額医薬品情報提供部１５Ａは、上記ステップＳ５で抽出された患者の患者端末２００に対して、低額医薬品情報生成部１４Ａにより生成された低額医薬品情報（すなわち、薬局情報記憶部１０１Ａに記憶された購買情報で示される医薬品およびそれを購買した薬局に関する情報）を提供する（ステップＳ８）。これにより、図７に示すフローチャートの処理を終了する。
【００４１】
以上詳しく説明したように、第１の実施形態では、サーバ装置１００Ａが、複数の薬局に関する情報および当該複数の薬局がそれぞれ調剤に使用する医薬品に関する情報（薬局端末３００から提供される医薬品の購買情報）を薬局ごとに記憶するとともに、患者に関する情報および当該患者が服用している医薬品に関する情報を記憶し、それらの情報を参照して、患者が服用している医薬品の価格よりも安い医薬品（何れかの薬局で購買された医薬品）およびそれを使用する薬局に関する情報を生成し、当該生成した低額医薬品情報を患者端末２００に提供するようにしている。
【００４２】
このように構成した第１の実施形態によれば、患者は、自身が服用している医薬品の価格よりも安い医薬品と、その医薬品を調剤に使用している薬局とを含む有益な情報を得ることができるので、その情報を参考にして購入先の薬局を変えることにより、できるだけ安い医薬品を利用することができるようになる。このように、第１の実施形態によれば、医薬品に関する有益な情報を患者に提供することにより、患者ができるだけ安い医薬品を利用できるようにすることができる。
【００４３】
（第２の実施形態）  
次に、本発明の第２の実施形態を図面に基づいて説明する。第２の実施形態による医薬品情報提供システムの全体構成例は、図１と同様である。ただし、サーバ装置１００Ａとは機能が異なるサーバ装置１００Ｂを用いる。第２の実施形態によるサーバ装置１００Ｂは、複数の薬局が処方に基づき実際に調剤した医薬品に関する調剤情報を収集して管理する調剤情報管理サーバである。
【００４４】
図８は、第２の実施形態によるサーバ装置１００Ｂの機能構成例を示すブロック図である。なお、この図８において、図２に示した符号と同一の符号を付したものは同一の機能を有するものであるので、ここでは重複する説明を省略する。図８に示すように、第２の実施形態によるサーバ装置１００Ｂは、購買情報取得部１３を備えていない。また、サーバ装置１００Ｂは、低額医薬品情報生成部１４Ａおよび薬局情報記憶部１０１Ａに代えて低額医薬品情報生成部１４Ｂおよび薬局情報記憶部１０１Ｂを備えている。
【００４５】
図９は、第２の実施形態による薬局情報記憶部１０１Ｂが記憶する薬局情報の一例を模式的に示す図である。図９に示すように、第２の実施形態による薬局情報記憶部１０１Ｂは、調剤情報取得部１１が複数の薬局端末３００から収集した調剤情報を、複数の薬局がそれぞれ調剤に使用する医薬品に関する情報として薬局ごとに記憶するものである。すなわち、薬局情報記憶部１０１Ｂは、薬局の薬局ＩＤ、店名、住所を含む「薬局に関する情報」に関連付けて、患者ＩＤおよび調剤薬情報の履歴を記憶しており、第１の実施形態で用いた購買情報は記憶していない。
【００４６】
低額医薬品情報生成部１４Ｂは、薬局情報記憶部１０１Ｂに調剤情報が記憶されたタイミングまたは所定の定期的なタイミングで、患者が服用している医薬品の価格よりも安い医薬品およびそれを使用する薬局に関する低額医薬品情報を生成する。すなわち、低額医薬品情報生成部１４Ｂは、医薬品マスター記憶部１０３を参照して、薬局情報記憶部１０１Ｂに記憶された調剤情報で示されている医薬品の薬価を確認する。さらに、低額医薬品情報生成部１４Ｂは、医薬品マスター情報により確認した医薬品の薬価が、その医薬品を調剤した薬局に関して最安値マスター記憶部１０４に記憶されている同種の医薬品の最安値より安いかどうかを判定し、安い場合には、当該調剤した薬局に関する情報を用いて最安値マスター記憶部１０４の最安値マスター情報を更新する。
【００４７】
低額医薬品情報生成部１４Ｂは、最安値マスター情報を更新した場合、患者情報記憶部１０２を参照して、その更新した医薬品と同種の医薬品を服用している患者を抽出する。一方、低額医薬品情報生成部１４Ｂは、最安値マスター情報を更新しなかった場合、上述のような患者の抽出処理は行わない。１人以上の患者が抽出された場合、低額医薬品情報生成部１４Ｂは、当該患者が服用している医薬品の価格よりも安い医薬品（調剤された医薬品）およびそれを使用する薬局（調剤を行った薬局）を示す低額医薬品情報を生成する。
【００４８】
第２の実施形態においても、低額医薬品情報生成部１４Ｂは、薬局情報記憶部１０１Ｂに記憶されている薬局情報と患者情報記憶部１０２に記憶されている患者情報とを参照し、複数の薬局のうち患者の自宅から所定距離以内にある薬局を対象として低額医薬品情報を生成するようにしてもよい。また、低額医薬品情報生成部１４Ｂは、患者情報記憶部１０２に記憶されているお薬情報に基づいて、所定頻度以上の頻度で服薬している患者を対象として低額医薬品情報を生成するようにしてもよい。
【００４９】
上記第１の実施形態では、購買情報で示される医薬品、つまり薬局がこれから調剤に使用する予定の医薬品が、患者が服用している医薬品と同種の安い医薬品である場合に、低額医薬品情報を患者端末２００に提供するものであった。これに対し、第２の実施形態では、薬局において実際に調剤に使用された医薬品が、患者が服用している医薬品と同種の安い医薬品である場合に、低額医薬品情報を患者端末２００に提供する。これにより、第１の実施形態で説明したサーバ装置１００Ａ（購買管理サーバ）とは異なる流通経路で新たに購買した医薬品を薬局が調剤に使用した場合に、その医薬品に関する低額医薬品情報を患者端末２００に提供することができる。このように、第２の実施形態においても、医薬品に関する有益な情報を患者に提供することにより、患者ができるだけ安い医薬品を利用できるようにすることができる。
【００５０】
（第３の実施形態）  
次に、本発明の第３の実施形態を図面に基づいて説明する。図１０は、第３の実施形態による医薬品情報提供システムの全体構成例を示す図である。図１０に示すように、第３の実施形態では、第１の実施形態で示したサーバ装置１００Ａ、患者端末２００、薬局端末３００とは機能が異なるサーバ装置１００Ｃ、患者端末２００Ｃ、薬局端末３００Ｃを用いる。
【００５１】
第３の実施形態によるサーバ装置１００Ｃは、患者端末２００Ｃからのリクエストと、当該リクエストに対する薬局端末３００Ｃからの応答とを仲介する仲介管理サーバである。第３の実施形態による患者端末２００Ｃは、リクエストをサーバ装置１００Ｃに送信する機能を有する。また、第３の実施形態による薬局端末３００Ｃは、サーバ装置１００Ｃからリクエストの提供を受けて応答する機能を有する。
【００５２】
また、第３の実施形態による医薬品情報提供システムは、医薬品の購買を管理する購買管理サーバ４００を更に備え、薬局端末３００Ｃはこの購買管理サーバ４００に通信ネットワーク５００を介して接続可能に構成されている。購買管理サーバ４００は、一の薬局が在庫の医薬品を出品して他の薬局が当該出品された医薬品を購入する薬局間購買処理を管理するサーバである。一の薬局は、この購買管理サーバ４００により提供される薬局間購買処理のサービスを利用することにより、在庫として余剰となった小ロットの医薬品を他の薬局に販売することができる。また、当該他の薬局は、不足している医薬品を必要量だけ購入して調剤に利用することが可能である。
【００５３】
図１１は、第３の実施形態によるサーバ装置１００Ｃの機能構成例を示すブロック図である。なお、この図１１において、図２に示した符号と同一の符号を付したものは同一の機能を有するものであるので、ここでは重複する説明を省略する。図１１に示すように、第３の実施形態によるサーバ装置１００Ｃは、購買情報取得部１３および最安値マスター記憶部１０４を備えていない。また、サーバ装置１００Ｃは、低額医薬品情報生成部１４Ａ、低額医薬品情報提供部１５Ａおよび薬局情報記憶部１０１Ａに代えて、低額医薬品情報生成部１４Ｃ、低額医薬品情報提供部１５Ｃおよび薬局情報記憶部１０１Ｃを備えるとともに、リクエスト取得部１６、リクエスト提供部１７および応答取得部１８を更に備えている。
【００５４】
図１２は、第３の実施形態による薬局情報記憶部１０１Ｃが記憶する薬局情報の一例を模式的に示す図である。図１１に示すように、第３の実施形態による薬局情報記憶部１０１Ｃは、薬局の薬局ＩＤ、店名、住所を含む「薬局に関する情報」に関連付けて、患者ＩＤおよび調剤薬情報の履歴と、後述する薬局端末３００Ｃからの応答情報とを記憶しており、第１の実施形態で用いた購買情報は記憶していない。なお、患者ＩＤおよび調剤薬情報の履歴と応答情報とを別のデータベースに記憶する構成としてもよい。また、別のサーバ装置に分けて記憶および管理するようにしてもよい。
【００５５】
リクエスト取得部１６は、患者端末２００Ｃから送信されるリクエストを取得する。リクエストとは、患者が低額医薬品情報の提供を要求するための情報であり、少なくとも患者ＩＤを含む。すなわち、患者は、自身が現在服用している医薬品よりも安い医薬品およびそれを調剤に使用している薬局に関する情報を知りたいと考えた場合、患者端末２００Ｃにおいて患者ＩＤを含むリクエストを生成し、サーバ装置１００Ｃに送信する。
【００５６】
例えば、患者端末２００Ｃにインストールされたお薬手帳アプリから患者ＩＤを入力してサーバ装置１００Ｃの仲介サイトにログインし、仲介サイトにより提供されるリクエスト入力画面でリクエストボタンを押下することにより、お薬手帳アプリにログインする際に入力した患者ＩＤを含むリクエストをサーバ装置１００Ｃに送信する。サーバ装置１００Ｃのリクエスト取得部１６は、このようにして患者端末２００Ｃから送られてくるリクエストを取得する。例えば、サーバ装置１００Ｃはお薬手帳アプリが利用するサーバとしてもよい。
【００５７】
リクエスト提供部１７は、リクエスト取得部１６が取得したリクエストを、リクエスト提供部１７が発行したリクエストＩＤと共に薬局端末３００Ｃに提供する。このとき、リクエスト提供部１７は、患者情報記憶部１０２を参照して、患者ＩＤで示される患者のお薬情報から、患者が服用している医薬品を取得する。そして、この取得した医薬品の情報（銘柄の情報を含む）およびリクエストＩＤと共にリクエストを薬局端末３００Ｃに提供する。なお、リクエスト提供部１７は、医薬品マスター記憶部１０３を参照し、患者が服用している医薬品の薬価も取得して、医薬品およびその薬価の情報と共にリクエストを薬局端末３００Ｃに提供するようにしてもよい。
【００５８】
ここで、リクエスト提供部１７は、薬局情報記憶部１０１Ｃに記憶されている薬局情報と患者情報記憶部１０２に記憶されている患者情報とを参照し、複数の薬局のうち患者の自宅から所定距離以内にある薬局の薬局端末３００Ｃに対してのみリクエストを提供するのが好ましい。
【００５９】
応答取得部１８は、リクエストに対する応答として薬局端末３００ＣからリクエストＩＤと共に送信される、薬局に関する情報および当該薬局が調剤に使用する医薬品に関する情報（以下、応答情報という）を取得する。応答取得部１８は、取得した応答情報を薬局情報記憶部１０１Ａに記憶させる。図１２に示すように、応答情報は、リクエストＩＤ、医薬品名（銘柄を含む）、薬価などを含む情報である。リクエストを薬局端末３００Ｃにて受信した薬局では、リクエストに付随している医薬品とその薬価を確認し、それと同種の医薬品で、より安い医薬品を調剤に使用している場合に、リクエストに対して応答することが可能である。
【００６０】
薬局がリクエストに対して応答する場合は、薬局端末３００Ｃにおいて薬局ＩＤと医薬品に関する情報とを含む応答情報を生成し、サーバ装置１００Ｃに送信する。例えば、薬局端末３００Ｃにインストールされた調剤管理アプリから薬局ＩＤを入力してサーバ装置１００Ｃの仲介サイトにログインし、仲介サイトにより提供される応答入力画面で医薬品の情報を入力し、応答ボタンを押下することにより、調剤管理アプリにログインする際に入力した薬局ＩＤと医薬品の情報とを含む応答情報をサーバ装置１００Ｃに送信する。サーバ装置１００Ｃの応答取得部１８は、このようにして薬局端末３００Ｃから送られてくる応答情報を取得し、薬局情報記憶部１０１Ｃに記憶させる。
【００６１】
なお、薬局では、リクエストにより示されている医薬品（当該リクエストを行った患者が服用している医薬品）より安い同種の医薬品を調剤に使用していない場合でも、安い医薬品を購買管理サーバ４００を通じて購入処理した上で、リクエストに対する応答を行うことも可能である。ここで、本実施形態の購買管理サーバ４００は、一の薬局が在庫の医薬品を出品して他の薬局が当該出品された医薬品を購入する薬局間購買処理を管理するサーバである。そのため、通常の商慣行に従って元々取引関係のある決まった卸業者から一定数以上のロットで医薬品を購入する場合に比べて、リクエストに対する応答を行うために必要な医薬品を小ロットで購入し、リクエストに応答しやすくなる。
【００６２】
低額医薬品情報生成部１４Ｃは、リクエストに対する応答が行われる所定のタイミングで、応答取得部１８が取得した応答情報に基づいて、患者が服用している医薬品の価格よりも安い医薬品およびそれを使用する薬局に関する低額医薬品情報を生成する。リクエストに対する応答が行われる所定のタイミングとは、例えば、リクエスト提供部１７が薬局端末３００Ｃにリクエストを提供したときから所定時間後の応答締切時間が経過したタイミングである。ここで、複数の薬局端末３００Ｃから応答があった場合、低額医薬品情報生成部１４Ｃは、複数の薬局端末３００Ｃから取得した応答情報を用いて低額医薬品情報を生成する。
【００６３】
低額医薬品情報提供部１５Ｃは、リクエスト取得部１６が取得したリクエストの送信元の患者端末２００Ｃに対して、低額医薬品情報生成部１４Ｃにより生成された低額医薬品情報（すなわち、何れかの薬局端末３００Ｃからリクエストに対する応答として提供された医薬品および薬局に関する情報）を提供する。患者は、低額医薬品情報提供部１５Ｃにより提供される低額医薬品情報を確認し、希望する場合には調剤先を切り替えることが可能である。低額医薬品情報の中に複数の医薬品と薬局に関する情報が含まれている場合、患者は、その中から所望の薬局を選択して調剤先を切り替えることが可能である。
【００６４】
なお、患者端末２００Ｃは、調剤を受ける際の希望条件が付されたリクエストをサーバ装置１００Ｃに送信可能に構成してもよい。希望条件とは、例えば、お薬手帳アプリを使用可能であること、日曜日も営業していること、祝日も営業していること、夜間も営業していること、２４時間営業していること、クレジットカードを利用可能であること、安い医薬品の相談ができることなどである。このような希望条件は、例えば、お薬手帳アプリが提供する所定のリクエスト入力画面で入力するようにすればよい。
【００６５】
この場合、リクエスト提供部１７は、希望条件が付されたリクエストを薬局端末３００Ｃに提供する。薬局では、リクエストに付されている希望条件を満たすかどうかを判断し、満たす場合に応答情報をサーバ装置１００Ｃに返信する。低額医薬品情報生成部１４Ｃは、リクエストに付されている希望条件を満たす薬局から応答が行われる所定のタイミングで低額医薬品情報を生成する。
【００６６】
図１３は、上記のように構成した第３の実施形態によるサーバ装置１００Ｃの動作例を示すフローチャートである。まず、リクエスト取得部１６が患者端末２００Ｃからリクエストを取得すると（ステップＳ１１）、リクエスト提供部１７は、患者情報記憶部１０２を参照して、取得したリクエストに含まれる患者ＩＤで示される患者のお薬情報から、患者が服用している医薬品を取得する（ステップＳ１２）。
【００６７】
次いで、リクエスト提供部１７は、薬局情報記憶部１０１Ｃに記憶されている薬局情報と患者情報記憶部１０２に記憶されている患者情報とを参照し、複数の薬局のうち患者の自宅から所定距離以内にある薬局を抽出する（ステップＳ１３）。そして、リクエスト提供部１７は、この抽出した薬局の薬局端末３００Ｃに対し、ステップＳ１２で取得した服用中の医薬品の情報と共にリクエストを提供する（ステップＳ１４）。
【００６８】
応答取得部１８は、リクエスト提供部１７が薬局端末３００Ｃにリクエストを提供してから所定時間以内に、１以上の薬局端末３００Ｃから応答情報を取得する（ステップＳ１５）。薬局端末３００Ｃがリクエストに応じて返信する応答情報は、応答を行う薬局に関する情報および当該薬局が調剤に使用する医薬品に関する情報であって、患者が服用中の医薬品よりも安い同種の医薬品に関する情報である。
【００６９】
低額医薬品情報生成部１４Ｃは、リクエスト提供部１７が薬局端末３００Ｃにリクエストを提供してから所定時間が経過したタイミングで、応答取得部１８が取得した１以上の応答情報に基づいて、患者が服用している医薬品の価格よりも安い医薬品およびそれを使用する薬局に関する低額医薬品情報を生成する（ステップＳ１６）。
【００７０】
そして、低額医薬品情報提供部１５Ｃは、上記ステップＳ１１でリクエスト取得部１６が取得したリクエストの送信元の患者端末２００Ｃに対して、低額医薬品情報生成部１４Ｃにより生成された低額医薬品情報（すなわち、１以上の薬局端末３００Ｃからリクエストに対する応答として提供された医薬品および薬局に関する情報）を提供する（ステップＳ１７）。これにより、図１３に示すフローチャートの処理を終了する。
【００７１】
以上説明した第３の実施形態によれば、患者が希望するタイミングでリクエストをサーバ装置１００Ｃに送信することにより、患者が希望する低額医薬品情報を得ることができる。このように構成した第３の実施形態においても、医薬品に関する有益な情報を患者に提供することにより、患者ができるだけ安い医薬品を利用できるようにすることができる。
【００７２】
なお、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【００７３】
例えば、上記第３の実施形態では、患者端末２００Ｃから患者ＩＤを含むリクエストをサーバ装置１００Ｃに送信し、サーバ装置１００Ｃにおいて、患者のお薬情報から服用中の医薬品情報を取得してリクエストに付加する構成について説明したが、本発明はこれに限定されない。例えば、患者端末２００Ｃからサーバ装置１００Ｃにリクエストを送信する際に、そのリクエストに対し、患者が服用している医薬品の情報を付随させるようにしてもよい。
【００７４】
また、上記第１の実施形態において、サーバ装置１００Ａ（購買管理サーバ）を、第３の実施形態による購買管理サーバ４００と同様の薬局間購買処理を管理するサーバとしてもよい。
【００７５】
また、上記第１〜第３の実施形態では、所定頻度以上の頻度で慢性的に服薬している患者をお薬情報に基づいて抽出する例について説明したが、本発明はこれに限定されない。例えば、患者端末２００，２００Ｃからサーバ装置１００Ａ，１００Ｂ，１００Ｃに対して、医療機関で処方された薬の処方データを送信することによって薬局での調剤を予約することができるように構成し、この予約の頻度に基づいて、慢性的に服薬している患者を抽出するようにしてもよい。
【００７６】
上記第１〜第３の実施形態では、薬局のスタッフが薬局端末３００，３００Ｃにおいて調剤薬情報を入力し、入力された調剤薬情報を含む調剤情報をサーバ装置１００Ａ，１００Ｂ，１００Ｃに送信する例について説明したが、本発明はこれに限定されない。例えば、薬局から患者に手渡された薬の包装紙あるいは服用説明シート等に印刷された２次元コードを患者端末２００，２００Ｃで読み取ることにより、当該２次元コードに記録された調剤データを患者端末２００，２００Ｃにおいて取得し、これを患者端末２００からサーバ装置１００Ａ，１００Ｂ，１００Ｃに送信するようにしてもよい。加えて、患者端末２００，２００Ｃに患者自身が薬の情報を入力することにより調剤情報を患者端末２００，２００Ｃからサーバ装置１００Ａ，１００Ｂ，１００Ｃに送信するようにしてもよい。
【符号の説明】
【００７７】
１１  調剤情報取得部
１２  薬歴記録部
１３  購買情報取得部
１４Ａ，１４Ｂ，１４Ｃ  低額医薬品情報生成部
１５Ａ，１５Ｃ  低額医薬品情報提供部
１６  リクエスト取得部
１７  リクエスト提供部
１８  応答取得部
１００Ａ，１００Ｂ，１００Ｃ  サーバ装置
１０１Ａ，１０１Ｂ，１０１Ｃ  薬局情報記憶部
１０２  患者情報記憶部
１０３  医薬品マスター記憶部
１０４  最安値マスター記憶部
２００，２００Ｃ  患者端末
３００，３００Ｃ  薬局端末
４００  購買管理サーバ
【図１】
2020113001.tif 000003
【図２】
2020113001.tif 000004
【図３】
2020113001.tif 000005
【図４】
2020113001.tif 000006
【図５】
2020113001.tif 000007
【図６】
2020113001.tif 000008
【図７】
2020113001.tif 000009
【図８】
2020113001.tif 000010
【図９】
2020113001.tif 000011
【図１０】
2020113001.tif 000012
【図１１】
2020113001.tif 000013
【図１２】
2020113001.tif 000014
【図１３】
2020113001.tif 000015